(57)【要約】【課題】  部品点数が少なく、簡素な機構で静粛性を確保することのできる光ディスク装置を提供する。【解決手段】  ディスク挿脱口１１を有した本体と、ディスク挿脱口１１と本体のディスク収納位置との間でディスクを搬送する搬送用ローラとを備える光ディスク装置１０であって、支持軸によって本体内部に基端が回動自在に支持されディスク到達スイッチの固定された揺動レバーと、支持軸に基端が回動自在に支持されディスク収納位置に収納されるディスクの外周に先端が接触してディスク到達スイッチを作動させる検出レバーとを備え、ディスク収納位置へのディスク挿入時に、検出レバーをディスク収納位置へ突出させるようにした。【選択図】  図１
2006202410.tif 000002
【特許請求の範囲】
【請求項１】
ディスク挿脱口を有した本体と、
前記ディスク挿脱口と前記本体のディスク収納位置との間で前記ディスクを搬送する搬送用ローラと、
支持軸によって前記本体内部に基端が回動自在に支持され、ディスク到達スイッチが固定された揺動レバーと、
前記支持軸に基端が回動自在に支持され、前記ディスク収納位置に収納されるディスクの外周に先端が接触して前記ディスク到達スイッチを作動させる検出レバーと、を備え、
前記ディスク収納位置へのディスク挿入時に、前記検出レバーを前記ディスク収納位置へ突出させる、光ディスク装置。
【請求項２】
請求項１記載の光ディスク装置であって、
支持軸によって前記本体内部に基端が回動自在に支持され、前記搬送用ローラによって搬送中のディスクを前記ディスク収納位置に押し込む方向に付勢する押し込みレバーを更に備える、光ディスク装置。
【請求項３】
請求項1または２記載の光ディスク装置であって、
ディスク挿入動作で、前記ディスク到達スイッチにより搬送中のディスクがディスク収納位置付近まで到達したことを検出した際に、前記ディスクに前記検出レバーを接触させた状態で、前記検出レバーおよび前記揺動レバーをディスク収納位置から退避させる方向へ従動させる、光ディスク装置。
【請求項４】
請求項1ないし３のいずれか１項に記載の光ディスク装置であって、
ディスク排出動作で、前記ディスク到達スイッチにより、収納中の前記ディスクと接触したことを検出した際に、前記搬送用ローラを回転させる、光ディスク装置。
【発明の詳細な説明】
【技術分野】
【０００１】
本発明は、搬送用ローラによって装置内に挿入されたディスクをディスク収納位置まで案内および搬送した際に収納されたディスクと装置との衝突による衝突音を低減するようにした光ディスク装置に関するものである。
【背景技術】
【０００２】
光ディスク装置は、その設置箇所の多様化から、例えば車載用のように小型化、静粛性およびディスク検出等の高い動作安定性の要求される場合がある。
この種の光ディスク装置１００を図１２を参照して説明する。図１２において、１０１は箱形の筐体であり、この筐体１０１の正面板１０１Ａにはディスク挿入口が形成されている。１０２は筐体１０１内の上記ディスク挿入口の近傍に配置されたディスクローディング用のローラであり、このローラ１０２はローラ駆動機構（図示せず）によって回動されディスク１０３の挿入、排出を行う。１０４はディスク１０３を保持する半円環状のトレイであり、複数枚のトレイ１０４が筐体１０１内の背面板１０１Ｂと右側面板１０１Ｃとのコーナ部側に積層配置されている（例えば特許文献１参照）。
【特許文献１】特開２０００−４０２９０号公報
【発明の開示】
【発明が解決しようとする課題】
【０００３】
しかしながら、上記した従来の光ディスク装置１００のように、固定式のディスク搬送用ローラでディスク収納完了位置までディスクを搬送できない装置の場合、ディスクと搬送用ローラとの係合が外れた後、バネ力が印加されたレバーにより、ディスクを収納位置まで押し込む。このため、ディスク収納時に、ディスクと収納部の部品間で衝突音が発生し、静粛性に不利となる場合があった。
【０００４】
本発明は、従来の問題を解決するためになされたもので、部品点数が少なく、簡素な機構で静粛性を確保することのできる光ディスク装置を提供することを目的とする。
【課題を解決するための手段】
【０００５】
本発明の光ディスク装置は、ディスク挿脱口を有した本体と、前記ディスク挿脱口と前記本体のディスク収納位置との間で前記ディスクを搬送する搬送用ローラと、支持軸によって前記本体内部に基端が回動自在に支持されディスク到達スイッチの固定された揺動レバーと、前記支持軸に基端が回動自在に支持され前記ディスク収納位置に収納されるディスクの外周に先端が接触して前記ディスク到達スイッチを作動させる検出レバーとを備え、前記ディスク収納位置へのディスク挿入時に、前記検出レバーを前記ディスク収納位置へ突出させる構成を有している。
【０００６】
この構成により、搬送用ローラによる拘束が外れたディスクは、検出レバーを押しながらディスク収納位置へ移動される。したがって、ディスクが収納部の部品に衝突しなくなり、激しい衝突音が生じなくなる。
【０００７】
そして、本発明の光ディスク装置は、支持軸によって前記本体内部に基端が回動自在に支持され前記搬送用ローラによって搬送中のディスクを前記ディスク収納位置に押し込む方向に付勢する押し込みレバーを更に備えた構成を有している。
この構成により、ディスクがローディング方向に搬送されると、ディスクが検出レバーと接触し、これと同時に、押し込みレバーがディスクをディスク収納位置へ押し込み、ディスクがディスク収納位置に押し込まれることとなる。
【０００８】
また、本発明の光ディスク装置は、ディスク挿入動作で、前記ディスク到達スイッチにより搬送中のディスクがディスク収納位置付近まで到達したことを検出した際に、前記ディスクに前記検出レバーを接触させた状態で、前記検出レバーおよび前記揺動レバーをディスク収納位置から退避させる方向へ従動させる構成を有している。
この構成により、押し込みレバーがディスクをディスク収納位置へ押し込むとともに、ディスクが検出レバーと接触し、揺動レバー、検出レバーが退避動作することで、ディスクが受け止められながらローディングされることになる。
【０００９】
さらに、本発明の光ディスク装置は、ディスク排出動作で、前記ディスク到達スイッチにより、収納中の前記ディスクと接触したことを検出した際に、前記搬送用ローラを回転させる構成を有している。
この構成により、検出レバーが収納されていたディスクと接触すると、検出レバーの接触により、ディスクが押し込みレバーに接触し、ディスク到達スイッチの出力が変化することで、この信号を受けて、搬送用ローラのイジェクト方向の回転開始が可能となる。
【発明の効果】
【００１０】
ディスクを装置外部から内部へ搬送するための搬送用ローラによるディスクの拘束が外れたあるいは外れそうな位置まで到達したことが検出された際、ディスクが、当該ディスクの近傍に待機した検出レバーと接触を保った状態でディスク収納位置へ移動するので、ディスク収納時のディスクと装置との衝突による激しい衝突音を生じなくすることができる。
【発明を実施するための最良の形態】
【００１１】
以下、本発明の実施の形態の光ディスク装置について、図面を用いて説明する。
本発明の第１の実施の形態を図１に示す。
図１には本発明の実施の形態の光ディスク装置１０を内蔵するカーオーディオ装置１の全体斜視図が示されている。このカーオーディオ装置１では、光ディスク装置１０のほかにラジオ２、カセットテープ再生装置３等を内蔵しており、前面パネル４には、全機能に共用される表示部４ａや電源／ボリュームつまみ４ｂに加えて、光ディスク装置１０における開閉自在な蓋部１１ａを備えたディスク挿脱口１１、ラジオ用のチューニングつまみ２ａ、カセットテープ挿入口３ａ等が設けられている。また、内部には、ラジオ２、カセットテープ再生装置３、光ディスク装置１０等を制御する図示しない制御部が設けられている。
【００１２】
図２には、カーオーディオ装置１に内蔵されている本発明の実施形態である光ディスク装置１０の、図１中II−II位置における断面図が示されている。
図２に示すように、光ディスク装置１０は、矩形箱状の本体１３と、この本体１３のディスク挿脱口１１付近には、挿入されたディスクに接触し、動力を伝達することによって、ディスク１２を搬送し、ディスク１２の挿入（ローディング）および排出（イジェクト）を行う搬送用ローラを構成するローラ部材１４や、ローラ部材１４を回転させる動力源（図示していない。）が設けられている。ローディングおよびイジェクトを行う搬送手段は、ローラ部材１４と、このローラ部材１４に対して図２の紙面垂直方向に配設された図示しない上側ローラ部材とで構成される。上側ローラ部材は、ディスク１２のローディングおよびイジェクト時にローラ部材１４と共動して回転する。
【００１３】
ローラ部材１４は本体１３に対して上下方向（図面Ａ方向またはＢ方向）の移動が規制されている。また、図示しない上側ローラ部材は本体１３に対して上下方向（図２の紙面垂直方向）に移動可能であり、上側ローラ部材を付勢する図示しない弾性部材の作用により、上側ローラ部材は本体１３に対して下方向（ローラ部材１４に接近する方向）に付勢されている。
【００１４】
したがって、装置内にディスク１２が挿入されると、図示しない上側ローラ部材が本体１３に対して上方向（ローラ部材１４に離反する方向）に移動し、ディスク１２はローラ部材１４と上側ローラ部材の間に挟持される。なお、上側ローラ部材の移動可能量はディスクが複数枚（例えば２枚）挿入された場合の移動量以上確保しており、装置内に複数枚のディスクが挿入された場合でも、ローラ部材１４と上側ローラ部材は回転可能にディスクを押圧し、ローディングやイジェクトが可能な構成になっている。
【００１５】
また、本体１３のディスク挿脱口１１付近でローラ部材１４よりローディング方向奥側には、押し込みレバー１５が配設される。本体１３には、ディスク収納位置Ｄｐに収納されるディスク１２の面に垂直方向の支持軸１７が立設される。押し込みレバー１５は、基端１５ａがこの支持軸１７によって回動自在に支持され、先端１５ｂが図２中の矢印Ａ、Ｂ方向に回動自在となる。支持軸１７には付勢手段であるつるまきバネ１８が外挿され、つるまきバネ１８は一端が基台１６に立設されたバネ掛け１９に当接され、他端が押し込みレバー１５のバネ掛け２０に当接される。これにより、押し込みレバー１５は、矢印Ａ方向へ付勢される。なお、押し込みレバー１５は、本体１３に立設された図示しないストッパに当接することで、矢印Ａ方向の所定以上の回転が規制されている。
【００１６】
押し込みレバー１５は、バネ１８による矢印Ａ方向の付勢力によって、ローラ部材１４によって搬送中のディスク１２を、ディスク収納位置Ｄｐに押し込む。押し込みレバー１５の近傍の基台１６には収納完了スイッチ２１が配設され、収納完了スイッチ２１は出力信号のＨｉ（ＯＦＦ）、Ｌｏ（ＯＮ）を切り替える接触子２１ａを有している。収納完了スイッチ２１の接触子２１ａは、押し込みレバー１５が揺動することで、押し込みレバー１５の基端１５ａに接触して作動する。
【００１７】
すなわち、図２に示すディスク収納位置Ｄｐにディスク１２が未収納状態では、接触子２１ａは押圧されず、収納完了スイッチ２１の出力信号はＨｉ（ＯＦＦ）となる。一方、ローラ部材１４によってディスク１２が搬入され、ディスク１２によって押し込みレバー１５が矢印Ｂ方向へ回転されると、接触子２１ａが基端１５ａによって押圧され、収納完了スイッチ２１は出力信号がＬｏ（ＯＮ）となる。さらに、ディスク１２が押し込みレバー１５によって押し込められ、ディスク収納位置Ｄｐの所定位置に配置されると、押し込みレバー１５は再びバネ１８の付勢力によって矢印Ａ方向へ回転して図２に示した位置となり、収納完了スイッチ２１の出力信号がＨｉ（ＯＦＦ）となるようになっている。
【００１８】
押し込みレバー１５の先端１５ｂにはローラ２２が軸２３を介して回動自在に設けられ、ローラ２２は押し込みレバー先端１５ｂとディスク１２との接触摩擦を軽減させるよう働く。
【００１９】
図３にはディスク収納位置のディスク挿入方向奥側に設けられた揺動レバー、検出レバーの拡大平面図、図４にはディスク検出部におけるディスクなしの状態を表す揺動レバー、検出レバーの拡大平面図が示されている。
ディスク収納位置Ｄｐのディスク挿入方向の奥側の基台１６には、ディスク収納位置Ｄｐに収納されるディスク１２の面に垂直方向の支持軸２４が立設されている。支持軸２４には揺動レバー２５の基端２５ａが回動自在に支持され、揺動レバー２５は先端２５ｂが図３の矢印Ｃ、Ｄ方向へ揺動自在となっている。この揺動レバー先端２５ｂの上面には接触子２６ａを突出させたディスク到達スイッチ２６が固設されている。
【００２０】
揺動レバー２５の上面には検出レバー２７が重ねて配置され、検出レバー２７は基端２７ａが支持軸２４に回動自在に支持されている。この検出レバー２７も、先端２７ｂが図３の矢印Ｃ、Ｄ方向へ揺動自在となっている。つまり、揺動レバー２５と検出レバー２７とは、支持軸２４に同軸に支持されている。検出レバー２７の先端２７ｂにはディスク１２の外周に当接する接触部２８が形成される。また、検出レバー２７の背部には押圧段部２９が形成され、押圧段部２９は検出レバー２７がディスク到達スイッチ２６へ接近方向へ揺動されると、接触子２６ａを押圧作動させる。なお、検出レバー２７は、図示しない付勢手段によって、先端２７ｂがディスク収納位置Ｄｐ内へ突出する方向（図３中矢印Ｄ方向）に付勢されることが好ましい。
【００２１】
この揺動レバー２５と検出レバー２７とは、図示しないレバー駆動系によって図３の矢印Ｃ、Ｄ方向へ揺動される。レバー駆動系によって駆動された図３に示す初期位置では、収納ディスク１２と接触がなく、収納ディスク１２は昇降動作可能となる。この状態において、検出レバー２７とディスク到達スイッチ２６とは接触していない。すなわち、ディスク到達スイッチ２６の出力信号はＨｉ（ＯＦＦ）となるようになっている。
【００２２】
また、図４に示すように、ディスク検索動作時、揺動レバー２５と検出レバー２７とは、図示しないレバー駆動系によって、図４の矢印Ｄ方向へ回転される。その際、ディスク１２がディスク収納位置Ｄｐにないと、検出レバー２７とディスク到達スイッチ２６とが接触しない。すなわち、検出レバー２７とディスク到達スイッチ２６との相対位置は初期位置と同じとなり、ディスク到達スイッチ２６の出力信号はＨｉ（ＯＦＦ）のままとなる。
【００２３】
一方、ディスク検索動作時、揺動レバー２５と検出レバー２７とが、図示しないレバー駆動系によって図３の矢印Ｄ方向へ回転され、その際、ディスク１２がディスク収納位置Ｄｐにあると、ディスク１２に検出レバー２７の接触部２８が接触する。これにより、検出レバー２７と揺動レバー２５との相対位置が変化し、検出レバー２７の押圧段部２９によって接触子２６ａが押圧作動され、ディスク到達スイッチ２６の出力信号はＬｏ（ＯＮ）となる。これらの動作により、ディスク１２の検出が行えるようになっている。
【００２４】
なお、ディスク挿入動作で、ディスク到達スイッチ２６により搬送中のディスク１２がディスク収納位置Ｄｐの付近まで到達したことを検出した際、検出レバー２７および揺動レバー２５をディスク収納位置Ｄｐから退避させるよう動作制御がなされる。すなわち、ディスク１２の外周に先端が接触することで揺動された検出レバー２７によって、ディスク到達スイッチ２６が押圧作動され、この作動信号を受けてレバー駆動系が駆動され、揺動レバー２５がさらにディスク収納位置Ｄｐから退避する方向へ揺動される。これにより、搬送中のディスク１２は、退避中の検出レバー２７と接触しながら遅い速度で収納され、衝突音の低減が可能となっている。
【００２５】
また、光ディスク装置１０では、ディスク排出動作で、ディスク到達スイッチ２６が収納中のディスク１２と接触したことを検出した際、ローラ部材１４を回転させる動作制御がなされるようになっている。
【００２６】
この他、光ディスク装置１０は、図示しないディスクＩＮスイッチ、押出完了スイッチ、原点スイッチ、レバー駆動系を備える。ディスクＩＮスイッチは、ディスク挿脱口１１から本体１３内にディスク１２が挿入されたことを検出する。押出完了スイッチは、揺動レバー２５、検出レバー２７の状態を検出するためのスイッチで、揺動レバー２５および検出レバー２７の押出完了位置を検出する。すなわち、ディスク挿入待ち状態、あるいは、ディスクイジェクト完了状態を検出できるようになっている。原点スイッチは、揺動レバー２５、検出レバー２７の状態を検出するためのスイッチで、揺動レバー２５および検出レバー２７の退避完了位置（原点位置）を検出する。これにより、ディスクローディング完了状態、あるいは、ディスクイジェクト開始状態を検出できるようになっている。レバー駆動系は、上記のように揺動レバー２５、検出レバー２７を、ディスク収納位置Ｄｐに対する突出および退避位置へと移動可能としている。
【００２７】
さらに、光ディスク装置１０は、ディスク１２を回転させる図示しないスピンドルモータやディスク１２の情報を記録再生するための図示しない光ピックアップ、光ピックアップをディスク１２の内周および外周方向に駆動する図示しないトラバースモータを備えている。
【００２８】
次に、このような構成を備えた光ディスク装置１０の動作を説明する。
図５には挿入されたディスクが収納完了スイッチによって検出された状態を表す光ディスク装置本体の平面図、図６にはディスクローディング時のタイミングチャートが示されている。なお、本実施の形態のディスク装置は、１２ｃｍのディスクの挿入、排出を行って再生又は記録を行うものであるが、８ｃｍのディスクも取扱い可能である。８ｃｍのディスクの再生又は記録を行う場合は、中心部に８ｃｍディスクを保持するアダプタを利用する。８ｃｍディスクを保持したアダプタは、１２ｃｍディスク１２と同様に取り扱われるので、説明は省略する。
【００２９】
（１）ディスク１２のローディング動作
ディスク１２が利用者によって光ディスク装置１０に設けた本体１３のディスク挿脱口１１の内部に挿入されると、図６に示すように、ディスクＩＮスイッチの出力信号がＨｉ（ＯＦＦ）からＬｏ（ＯＮ）へ切り替わり、装置内にディスク１２の挿入されたことを検出する。これにより、ディスク装置１０は動力源の動作を開始させて、ローラ部材１４の回転、すなわちローディングを開始する。
【００３０】
図５に示すように、ディスク１２のオートローディングが継続され、ディスク１２がさらに進行すると、ディスク１２によって押し込みレバー１５が矢印Ｂ方向へ回転され、接触子２１ａが基端１５ａによって押圧され、収納完了スイッチ２１の出力信号がＬｏ（ＯＮ）となる。
【００３１】
図７にはディスク到達ＳＷによるディスク検出で揺動レバー、検出レバーが退避開始された状態を表す光ディスク装置本体の平面図、図８にはディスクの収納が完了して揺動レバー、検出レバーの退避が完了した状態を表す光ディスク装置本体の平面図が示されている。
【００３２】
図７に示すように、ディスク収納位置Ｄｐには、揺動レバー２５、検出レバー２７が突出されている。この突出配置は、レバー駆動系によって行われる。そして、さらにディスク１２がローディング方向に搬送されると、ディスク１２の外周がディスク収納位置Ｄｐ内に突出配置された検出レバー２７の接触部２８に接触する。これにより、検出レバー２７と揺動レバー２５との相対位置が変化し、検出レバー２７の押圧段部２９によって接触子２６ａが押圧作動され、図６に示すように、ディスク到達スイッチ２６の出力信号がＬｏ（ＯＮ）となる。つまり、ディスク到達スイッチ２６でディスク１２が検出されることとなる。
【００３３】
光ディスク装置１０は、ディスク到達スイッチ２６からのディスク１２の検出信号が入力されると、レバー駆動系を駆動する。レバー駆動系は、揺動レバー２５および検出レバー２７をローディング方向（図７の矢印Ｃ方向）に回転させ、揺動レバー２５および検出レバー２７を退避位置へと駆動開始する。この際、レバー駆動系の駆動速度は、ローラ部材１４の搬送速度より若干遅く制御される。したがって、ディスク１２は、検出レバー２７と外周を接触させ、受け止められながらローディングされることになる。このとき、ディスク１２は、ローラ部材１４、押し込みレバー１５および検出レバー２７の３部材に接触した状態でローディングされる。
【００３４】
図８に示すように、さらにディスク１２がローディング方向に搬送されると、収納完了スイッチ２１の出力がＨｉ（ＯＦＦ）に変化する（図６参照）。この状態でローラ部材１４はローディング方向へ回転し続ける。揺動レバー２５、検出レバー２７の退避動作がレバー駆動系によって維持されると、押し込みレバー１５がディスク１２をディスク収納位置Ｄｐへ押し込む。これにより、押し込みレバー１５が図示しないストッパに当接することで、押し込みレバー１５によるディスク１２への押圧が解除され、押し込みレバー１５が初期位置に停止して、ディスク１２の収納を完了する。
【００３５】
さらにレバー駆動系が揺動レバー２５および検出レバー２７の退避動作を継続すると、図８に示すように、検出レバー２７がディスク１２の外周から離れ、ディスク到達スイッチ２６の出力がＨｉ（ＯＦＦ）に変化する。
【００３６】
さらにレバー駆動系をローディング方向に回転させると、原点スイッチの出力がＨｉ（ＯＦＦ）に変化する。これにより、光ディスク装置１０は、レバー駆動系を停止させ、ローディング、揺動レバー２５および検出レバー２７の退避を完了する。
【００３７】
（２）揺動レバー２５、検出レバー２７とディスク１２との接触監視について
図６に示したタイミングチャートで、ディスク到達スイッチ２６がＬｏ（ＯＮ）になった後で、かつ、収納完了スイッチ２１がＬｏ（ＯＮ）の間（タイミングチャート中の網掛け部）は、ディスク到達スイッチ２６の出力がＬｏ（ＯＮ）であることを監視する。ディスク到達スイッチ２６がＨｉ（ＯＦＦ）になった場合は、一旦レバー駆動系の動作を停止し、再びディスク到達スイッチ２６の出力がＬｏ（ＯＮ）になったときに、レバー駆動系の動作を開始する。
【００３８】
次に、図示していない機構によりディスク１２は記録再生位置に搬送され、スピンドルモータ上に保持される。この動作により、ディスク１２のローディング動作を完了し、ディスク装置はディスク１２の記録再生可能状態になる。
【００３９】
（３）ディスク１２のイジェクト動作
図９にはディスクイジェクト時のタイミングチャート、図１０にはディスク検出部におけるディスクありの状態を表す光ディスク装置本体の平面図、図１１には図１０のＥ−Ｅ矢視図が示されている。
まず、図示していない機構によりスピンドルモータ上のディスク１２の保持を解除し、ディスク１２のイジェクト動作を開始する。図示していない機構によりディスク１２はイジェクト方向に搬送される。
【００４０】
図１０、図１１に示すように、レバー駆動系をイジェクト方向（図１０の矢印Ｄ方向）に回転させると、レバー駆動系による検出レバー２７の接触により、ディスク１２が押し込みレバー１５に接触し、ディスク到達スイッチ２６の出力がＬｏ（０Ｎ）に変化する（図９参照）。この信号を受けて、ローラ部材１４をイジェクト方向に回転させる（図９参照）。
【００４１】
ローラ部材１４と上側ローラ部材とは、ディスク１２を挟持し、イジェクト方向に搬送させる。さらに、レバー駆動系をイジェクト方向に回転させると、図示していない押出完了スイッチの出力が変化し、レバー駆動系を停止させ、さらにローラ部材１４と上側ローラ部材でディスク１２をイジェクト方向に搬送する。このとき、図示していないイジェクト完了スイッチでディスク１２がイジェクト位置まで搬送されたことを検出する。この信号を受けて、光ディスク装置１０はローラ部材１４を停止し、イジェクトを完了する。このように、イジェクト時では、ディスク到達スイッチ２６の出力でローラ部材１４の回転開始を制御することで、無負荷状態でのモータ回転時間を短くし、モータの騒音を低減できるようにしている。
【００４２】
このような本発明の実施の形態の光ディスク装置１０によれば、ディスク到達スイッチ２６の固定された揺動レバー２５と、ディスク１２の外周に先端が接触してディスク到達スイッチ２６を作動させる検出レバー２７とを備え、ディスク収納位置Ｄｐへのディスク挿入時に、検出レバー２７をディスク収納位置Ｄｐへ突出させるので、ローラ部材１４による拘束が外れたディスク１２が、検出レバー２７を押しながらディスク収納位置Ｄｐへ移動し、激しい衝突音を生じなくすることができる。この結果、搬送用ローラ自体をディスク挿入方向に可動式にし、収納位置までディスクをローラで搬送するような構成のものと比較して、ローラ自体を移動させるための部品などを不要とすることができるため、部品点数が少なく、簡素な機構でディスクローディング時の衝突音を低減できる。また、イジェクト時では、ディスク到達スイッチ２６の出力でローラ部材１４の回転開始を制御でき、無負荷状態でのモータ回転時間を短くし（必要以上にローディングモータを回転させず）、モータの騒音を低減することができる。
【００４３】
なお、本発明の実施の形態において、検出レバー２７をディスク収納位置Ｄｐへ突出させるとしているが、検出レバー２７は、ディスク１２が装置に挿入されてから収納位置Ｄｐに搬送されるまでの間にディスク１２が描く軌跡上に突出するようにしても良い。
また、本発明の実施の形態の光ディスク装置１０によれば、同一の支持軸２４を支点に揺動レバー２５および検出レバー２７を回動自在に支持し、揺動レバー２５と検出レバー２７との相対的な位置変化によって、ディスク到達スイッチ２６を作動するようにしたので、従来構成のように、押し出しレバーと検出レバーとを設け、ディスク搬送中に変化するセンサのタイミングで、押し出しレバーを駆動制御する必要がなく、検出動作の遅延等による誤差が発生せず、正確なディスク１２の有無検出を行うことができる。
【００４４】
以上、本発明の実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００４５】
以上のように、本発明は、支持軸によって本体内部に基端が回動自在に支持されディスク到達スイッチの固定された揺動レバーと、支持軸に基端が回動自在に支持されディスク収納位置に収納されるディスクの外周に先端が接触してディスク到達スイッチを作動させる検出レバーとを備え、ディスク収納位置へのディスク挿入時に、検出レバーをディスク収納位置へ突出させるので、搬送用ローラによる拘束が外れたディスクが、検出レバーを押しながらディスク収納位置へ移動し、部品点数が少なく、簡素な機構でディスクローディング時の衝突音を低減できるという効果を有し、光ディスク装置等として有用である。
【図面の簡単な説明】
【００４６】
【図１】本発明の実施の形態の光ディスク装置を内蔵するカーオーディオ装置の全体斜視図
【図２】カーオーディオ装置に内蔵されている本発明の実施形態である光ディスク装置の図１中II−II位置における断面図
【図３】ディスク収納位置のディスク挿入方向奥側に設けられた揺動レバー、検出レバーの拡大平面図
【図４】ディスク検出部におけるディスクなしの状態を表す揺動レバー、検出レバーの拡大平面図
【図５】挿入されたディスクが収納完了スイッチによって検出された状態を表す光ディスク装置本体の平面図
【図６】ディスクローディング時のタイミングチャート
【図７】ディスク到達スイッチによるディスク検出で揺動レバー、検出レバーが退避開始された状態を表す光ディスク装置本体の平面図
【図８】ディスクの収納が完了して揺動レバー、検出レバーの退避が完了した状態を表す光ディスク装置本体の平面図
【図９】ディスクイジェクト時のタイミングチャート
【図１０】ディスク検出部におけるディスクありの状態を表す光ディスク装置本体の平面図
【図１１】図１０のＥ−Ｅ矢視図
【図１２】従来の光ディスク装置の平面図
【符号の説明】
【００４７】
１１  ディスク挿脱口
１３  本体
１２  ディスク
１４  ローラ部材（搬送用ローラ）
１０  光ディスク装置
１５  押し込みレバー
１５ａ  基端
１７  支持軸
２４  支持軸
２５  揺動レバー
２５ａ  基端
２５ｂ  先端
２６  ディスク到達スイッチ
２７  検出レバー
２７ａ  基端
Ｄｐ  ディスク収納位置
【図１】
2006202410.tif 000003
【図２】
2006202410.tif 000004
【図３】
2006202410.tif 000005
【図４】
2006202410.tif 000006
【図５】
2006202410.tif 000007
【図６】
2006202410.tif 000008
【図７】
2006202410.tif 000009
【図８】
2006202410.tif 000010
【図９】
2006202410.tif 000011
【図１０】
2006202410.tif 000012
【図１１】
2006202410.tif 000013
【図１２】
2006202410.tif 000014